(57)【要約】  本発明は一般に干渉軽減に関し、より具体的にはワイヤレス通信ネットワークにおける干渉軽減に関する。提案されたソリューションは、ＷＬＡＮネットワークによって使用されるクリアチャネル評価（ＣＣＡ）機能を利用する。つまり、所定の時間期間中、干渉しているＷＬＡＮチャネルをジャミングすることによって、干渉しているＷＬＡＮネットワークは、バックオフ時間期間中、ＷＬＡＮ干渉チャネル上での送信が強制的に保留される。本出願のソリューションはこのバックオフ期間を使用して、限定はされないが現行の作動周波数を変更する要求などの重要な情報を、ＷＰＡＮネットワークが送信できるようにする。
2017520979.tif 000002
【特許請求の範囲】
【請求項１】
第１のワイヤレスパーソナルエリアネットワーク（ＷＰＡＮ）チャネル上で動作し、干渉軽減を提供する、ＷＰＡＮノードであって、前記干渉は、クリアチャネル評価（ＣＣＡ）機能を用いてワイヤレスローカルエリアネットワーク（ＷＬＡＮ）が送信するようにさせる当該ＷＬＡＮから発生し、前記ＷＬＡＮは、第１のＷＰＡＮチャネル帯域幅よりも大きい帯域幅を有するＷＬＡＮチャネル上で動作し、前記ＷＰＡＮノードは、
−前記第１のＷＰＡＮチャネル内で干渉信号を検出すると、干渉インジケータを生成する干渉検出器と、
−ジャミング信号を送信する少なくとも１つの送信器と、
−前記干渉検出器及び前記送信器に動作可能に結合されたプロセッサと、
を備え、前記プロセッサは、
−干渉インジケータが所与の干渉閾値よりも大きいかどうかを前記プロセッサが判断する、通常モードと、
−前記干渉インジケータが前記所与の干渉閾値よりも大きい場合に動作可能な、軽減モードと、
のうちの少なくとも一方で動作し、前記軽減モードで前記プロセッサは、
−前記ジャミング信号を生成し、
−少なくとも前記干渉インジケータに基づき、少なくとも部分的に前記ＷＬＡＮチャネル帯域幅内に含まれる、前記第１のＷＰＡＮとは異なる１つの近隣の第２のＷＰＡＮチャネルを決定し、
−前記ＷＬＡＮ上の前記ＣＣＡ機能が前記ＷＬＡＮによる前記ＷＬＡＮチャネル上での送信を一時的にさせないほど十分に高い所与の出力電力レベルで、所定の時間期間中、前記第２のＷＰＡＮチャネル内に連続的に前記ジャミング信号を送信するよう、前記送信器に命じる、
ＷＰＡＮノード。
【請求項２】
前記プロセッサは、
−前記通常モードと前記軽減モードとで同時に、又は、
−前記通常モードと前記軽減モードとで二者択一的に、
動作し、前記プロセッサは、前記所定の時間期間が経過した後、前記軽減モードから前記通常モードに切り替わる、
請求項１に記載のワイヤレスネットワークノード。
【請求項３】
第１のワイヤレスパーソナルエリアネットワーク（ＷＰＡＮ）チャネル上で動作し、干渉軽減を提供するための干渉軽減システムであって、前記干渉はクリアチャネル評価（ＣＣＡ）機能を用いてワイヤレスローカルエリアネットワーク（ＷＬＡＮ）が送信するようにさせる当該ＷＬＡＮから発生し、前記ＷＬＡＮは、第１のＷＰＡＮチャネル帯域幅よりも大きい帯域幅を有するＷＬＡＮチャネル上で動作し、前記システムは、
−請求項１又は２のいずれか一項に記載の１つ以上のワイヤレスネットワークノード（ＷＮＮ）を備え、１つのＷＮＮはワイヤレスネットワークノードマネージャ（ＷＮＮＭ）であり、
−前記ＷＮＮは、干渉インジケータが所与の干渉閾値より大きい場合を前記ＷＮＮＭに通知し、
−前記ＷＮＮＭのプロセッサは、前記ＷＮＮによって通知されると、
−少なくとも前記干渉インジケータに基づき、少なくとも部分的に前記ＷＬＡＮチャネル帯域幅内に含まれる、前記第１のＷＰＡＮとは異なる少なくとも１つの近隣の第２のＷＰＡＮチャネルを決定し、
−前記ＷＬＡＮ上の前記ＣＣＡ機能が前記ＷＬＡＮによる前記ＷＬＡＮチャネル上の送信を一時的にさせないほど十分に高い所与の出力電力レベルで、所定の時間期間中、前記第２のＷＰＡＮチャネル内に連続的に前記ジャミング信号を送信するよう、前記軽減モードである間に所与の軽減ストラテジに基づき前記ＷＮＮに命じる、
干渉軽減システム。
【請求項４】
前記軽減ストラテジは、
−１つ以上のＷＮＮが、同じ第２のＷＰＡＮチャネル上に同時に送信するように命じられること、及び、
−１つのＷＮＮが、１つの第２のＷＰＡＮチャネル上に送信するように命じられること、
のうちの少なくとも１つである、請求項３に記載の干渉軽減システム。
【請求項５】
前記第２のＷＰＡＮチャネルは前記第１のＷＰＡＮチャネルに近接している、請求項３又は４に記載の干渉軽減システム。
【請求項６】
前記プロセッサが前記通常モードと前記軽減モードとで二者択一的に動作する場合、
−第１のＷＮＮのプロセッサが前記軽減モードに切り替わる前に、前記第１のＷＮＮの前記プロセッサは、前記第１のＷＮＮに向けて送られるデータを受信するよう、第２のＷＮＮの少なくとも１つのプロセッサに命じ、
−前記第１のＷＮＮが前記軽減モードにある前記所定の時間期間中、前記第２のＷＮＮの前記プロセッサは、元々は前記第１のＷＮＮに向けて送られた受信したデータをメモリに記憶する、
請求項３乃至５のいずれか一項に記載の干渉軽減システム。
【請求項７】
前記プロセッサが前記通常モードと前記軽減モードとで二者択一的に動作する場合、
−第１のＷＮＮのプロセッサが前記軽減モードに切り替わる前に、前記第１のＷＮＮの前記プロセッサは、前記第１のＷＮＮに向けて送られるデータを受信するよう、第２のＷＮＮの少なくとも１つのプロセッサに命じることを、前記ＷＮＮＭに要求し、
−前記第１のＷＮＮが前記軽減モードにある前記所定の時間期間中、前記第２のＷＮＮの前記プロセッサは、元々は前記第１のＷＮＮに向けて送られた受信したデータを記憶する、
請求項３乃至５のいずれか一項に記載の干渉軽減システム。
【請求項８】
前記ＷＮＮＭは前記所定の時間期間を延長又は短縮する、請求項３乃至７のいずれか一項に記載の干渉軽減システム。
【請求項９】
第１のワイヤレスパーソナルエリアネットワーク（ＷＰＡＮ）チャネル上で動作するＷＰＡＮ内での干渉軽減を提供する方法であって、前記干渉はクリアチャネル評価（ＣＣＡ）機能を用いてワイヤレスローカルエリアネットワーク（ＷＬＡＮ）が送信するようにさせる当該ＷＬＡＮから発生し、前記ＷＬＡＮは、第１のＷＰＡＮチャネル帯域幅よりも大きい帯域幅を有するＷＬＡＮチャネル上で動作し、前記方法は、
−１つ以上のワイヤレスネットワークノード（ＷＮＮ）を提供すること、及び、
−前記ＷＮＮの中から、１つのワイヤレスネットワークノードマネージャ（ＷＮＮＭ）を決定すること、
を含み、前記方法は、
−干渉インジケータが所与の干渉閾値よりも大きい場合を、前記ＷＮＮＭに通知するように前記ＷＮＮを動作させること、及び
−前記ＷＮＮＭのプロセッサが、
−前記干渉インジケータに基づき、少なくとも部分的に前記ＷＬＡＮチャネル帯域幅内に含まれる、前記第１のＷＰＡＮとは異なる少なくとも１つの近隣の第２のＷＰＡＮチャネルを決定し、
−前記ＷＬＡＮ上の前記ＣＣＡ機能が前記ＷＬＡＮによる前記ＷＬＡＮチャネル上の送信を一時的にさせないほど十分に高い所与の出力電力レベルで、所定の時間期間中、前記第２のＷＰＡＮチャネル内に連続的にジャミング信号を送信するよう、前記軽減モードである間に所与の軽減ストラテジに基づき前記ＷＮＮに命じるように、動作させること、
を含む、方法。
【請求項１０】
前記軽減ストラテジは、
−１つ以上のＷＮＮが、同じ第２のＷＰＡＮチャネル上に同時に送信するように命じられること、及び、
−１つのＷＮＮが、１つの第２のＷＰＡＮチャネル上に送信するように命じられること、
のうちの少なくとも１つである、請求項９に記載の方法。
【請求項１１】
前記第２のＷＰＡＮチャネルは前記第１のＷＰＡＮチャネルに近接している、請求項１０に記載の方法。
【請求項１２】
前記ＷＮＮのプロセッサが前記通常モードと前記軽減モードとで二者択一的に動作する場合、
−第１のＷＮＮのプロセッサが前記軽減モードに切り替わる前に、前記方法は、前記第１のＷＮＮに向けて送られるデータを受信するよう、第２のＷＮＮの少なくとも１つのプロセッサに命じるように、前記第１のＷＮＮの前記プロセッサを動作させることを更に含み、
−前記第１のＷＮＮが前記軽減モードにある前記所定の時間期間中、前記方法は、元々は前記第１のＷＮＮに向けて送られた受信したデータをメモリに記憶するように、前記第２のＷＮＮの前記プロセッサを動作させることを更に含む、
請求項９乃至１１のいずれか一項に記載の方法。
【請求項１３】
前記ＷＮＮのプロセッサが前記通常モードと前記軽減モードとで二者択一的に動作する場合、
−第１のＷＮＮのプロセッサが前記軽減モードに切り替わる前に、前記方法は、前記第１のＷＮＮに向けて送られるデータを受信するよう、第２のＷＮＮの少なくとも１つのプロセッサに命じることを、前記ＷＮＮＭに要求するように、前記第１のＷＮＮの前記第１のプロセッサを動作させることを更に含み、
−前記第１のＷＮＮが前記軽減モードにある前記所定の時間期間中、前記方法は、元々は前記第１のＷＮＮに向けて送られた受信したデータをメモリに記憶するように、前記第２のＷＮＮの前記プロセッサを動作させることを更に含む、
請求項９乃至１１のいずれか一項に記載の方法。
【請求項１４】
前記方法は、前記所定の時間期間を延長又は短縮するように前記ＷＮＮＭを動作させることを更に含む、請求項９乃至１３のいずれか一項に記載の方法。
【請求項１５】
１つ以上の処理ユニットに請求項９乃至１４のいずれか一項に記載の方法を実行させるための命令を記憶している、非一時的コンピュータ可読媒体。
【発明の詳細な説明】
【技術分野】
【０００１】
[0001]  本発明は一般に干渉軽減に関し、より具体的にはワイヤレス通信ネットワークにおける干渉軽減に関する。
【背景技術】
【０００２】
[0002]  ワイヤレス通信は、最も急速に成長している技術のうちの１つである。近年見られるこの技術の驚異的な成長は、とりわけ実装と配備の容易さによるものである。近年、２．４ＧＨｚのＩＳＭ（工業、科学、医療の）周波数帯における様々なワイヤレス技術の進歩は、数多くの電子デバイスで用いられてきた。この状況が、Ｗｉ−Ｆｉ（登録商標）（登録商標）、Ｂｌｕｅｔｏｏｔｈ（登録商標）、及びＺｉｇｂｅｅ（登録商標）などの異種ワイヤレスデバイスの同一チャネル共存を招いている。同じ周波数を共有することにより、結果として、ＩＳＭ周波数帯を使用するワイヤレス技術間でのシステム間干渉という困難な問題が生じている。
【０００３】
[0003]  ワイヤレス技術間の無線干渉というこの問題は、しばしば干渉を検出及び回避することによって、すなわち現行の動作周波数を、現行よりも被る干渉が少ないことが予測される別の周波数に変更することによって処理される。米国出願第２０１３００７７５５２号は、各メンバデバイスが周波数干渉を検出した場合に、ローカルエリアワイヤレスネットワーク内での周波数干渉を回避するためのこうした方法及び装置を記載している。しかしながら、例えばワイヤレスローカルエリアネットワーク（ＷＬＡＮ）干渉（例えばＷｉ−Ｆｉ（登録商標）干渉）が、Ｚｉｇｂｅｅ（登録商標）、ＲＦ４ＣＥ、及び６ＬｏＷＰＡＮなどのワイヤレスパーソナルエリアネットワーク（ＷＰＡＮ）上で生じた場合、ＷＰＡＮのうちのいくつか又はすべてのクラスタメンバは、自分のクラスタヘッドとの通信が困難になる場合がある。実際には、これによって破損クラスタを生じさせる可能性がある。
【０００４】
[0004]  また、ＩＳＭ周波数帯内の周波数リソースが乏しいため、現行周波数から別の周波数への変更が常に可能な訳ではない。加えて、ネットワークのいくつかのノードの動作を一度に切り替わることで、ネットワークにかなりの追加コストが生じる。特に、近接する異なるチャネルで動作しているいくつかの干渉体が存在する場合である。この場合、チャネル切り替えがかなり頻繁に発生するため、ネットワークの不安定な動作につながる。特に、Ｚｉｇｂｅｅ（登録商標）ネットワークなどでワイヤレスネットワークのすべてのノードに重要なメッセージを送信する必要がある場合、この状況は問題である。
【０００５】
[0005]  そこで、検出される周波数干渉を回避することが困難又は不可能な場合、ワイヤレスネットワークのすべてのノードに重要なメッセージを送信できるようにするための新しい機構を提供することが有利であろう。
【発明の概要】
【発明が解決しようとする課題】
【０００６】
[0006]  本出願は、ワイヤレスローカルエリアネットワーク（ＷＬＡＮ）から発生する干渉を受けるワイヤレスパーソナルエリアネットワーク（ＷＰＡＮ）で、干渉軽減を提供するワイヤレスネットワークノード、システム、及び方法を提供する。
【課題を解決するための手段】
【０００７】
[0007]  本出願のある実施形態は、第１のワイヤレスパーソナルエリアネットワーク（ＷＰＡＮ）チャネル上で動作し、干渉軽減を提供するように適合された、ＷＰＡＮノードを提供するためのワイヤレスネットワークノードを含み、干渉は、クリアチャネル評価（ＣＣＡ）機能を用いてワイヤレスローカルエリアネットワーク（ＷＬＡＮ）が送信するようにさせる当該ＷＬＡＮから発生する。ＷＬＡＮは、第１のＷＰＡＮチャネル帯域幅よりも帯域幅が大きいＷＬＡＮチャネル上で動作する。ワイヤレスネットワークノードは、
−第１のＷＰＡＮチャネル内で干渉信号を検出すると、干渉インジケータを生成するように適合された干渉検出器と、
−ジャミング信号を送信するように適合された少なくとも１つの送信器と、
−メモリ、干渉検出器、受信器、及び送信器に動作可能に結合された、プロセッサと、
を備える。
【０００８】
[0008]  プロセッサは、通常モードと軽減モードとのうちの少なくとも一方で動作するように適合される。通常モードでは、プロセッサは干渉インジケータが所与の干渉閾値よりも大きいかどうかを判断するように構成される。プロセッサは、干渉インジケータが所与の閾値よりも大きい場合、軽減モードで動作する。軽減モードでは、プロセッサは、
−ジャミング信号を生成し、
−少なくとも干渉インジケータに基づき、少なくとも部分的にＷＬＡＮチャネル帯域幅内に含まれる第１のＷＰＡＮとは異なる１つの近隣の第２のＷＰＡＮチャネルを決定し、
−ＷＬＡＮチャネル上での送信を一時的に適切でないものとＷＬＡＮ上のＣＣＡ機能が決定するほど十分に高い所与の出力電力レベルで、所定の時間期間中、第２のＷＰＡＮチャネル内に連続的にジャミング信号を送信するよう、送信器に命じる
ように構成される。
【０００９】
[0009]  本出願のある実施形態では、第１のワイヤレスパーソナルエリアネットワーク（ＷＰＡＮ）チャネル上で動作するＷＰＡＮにおける干渉軽減を提供するための干渉軽減システムが含まれ、干渉は、クリアチャネル評価（ＣＣＡ）機能を用いてワイヤレスローカルエリアネットワーク（ＷＬＡＮ）が送信するようにさせる当該ＷＬＡＮから発生する。ＷＬＡＮは、第１のＷＰＡＮチャネル帯域幅よりも帯域幅が大きいＷＬＡＮチャネル上で動作する。上記システムは、
−本出願に従った１つ以上のワイヤレスネットワークノード（ＷＮＮ）を備え、１つのＷＮＮはワイヤレスネットワークノードマネージャ（ＷＮＮＭ）である。システムにおいて、ＷＮＮは、干渉インジケータが所与の干渉閾値より大きい場合をＷＮＮＭに通知するように構成される。更にシステムにおいて、ＷＮＮＭのプロセッサは、ＷＮＮによって通知されると、
−少なくとも干渉インジケータに基づき、少なくとも部分的にＷＬＡＮチャネル帯域幅内に含まれる、第１のＷＰＡＮとは異なる少なくとも１つの近隣の第２のＷＰＡＮチャネルを決定し、
−ＷＬＡＮ上のＣＣＡ機能がＷＬＡＮによるＷＬＡＮチャネル上の送信を一時的に適切でないものと決定するほど十分に高い所与の出力電力レベルで、所定の時間期間中、第２のＷＰＡＮチャネル内に連続的にジャミング信号を送信するよう、軽減モードである間に所与の軽減ストラテジに基づきＷＮＮに命じること、
を、実行するように適合される。
【００１０】
[0010]  本出願のある実施形態では、第１のワイヤレスパーソナルエリアネットワーク（ＷＰＡＮ）チャネル上で動作するＷＰＡＮ内での干渉軽減を提供するための方法が含まれ、干渉は、クリアチャネル評価（ＣＣＡ）機能を用いてワイヤレスローカルエリアネットワーク（ＷＬＡＮ）が送信するようにさせる当該ＷＬＡＮから発生する。ＷＬＡＮは、第１のＷＰＡＮチャネル帯域幅よりも帯域幅が大きいＷＬＡＮチャネル上で動作する。方法は、
−例えば本発明の第１の態様に従って、１つ以上のワイヤレスネットワークノード（ＷＮＮ）を提供すること、及び、
−ＷＮＮの中から、１つのワイヤレスネットワークノードマネージャ（ＷＮＮＭ）を決定すること、
を含む。方法は、
−干渉インジケータが所与の干渉閾値よりも大きい場合を、ＷＮＮＭに通知するようにＷＮＮを動作させること、及び
−ＷＮＮによって通知されると、
−干渉インジケータに基づき、少なくとも部分的にＷＬＡＮチャネル帯域幅内に含まれる、第１のＷＰＡＮとは異なる少なくとも１つの近隣の第２のＷＰＡＮチャネルを決定し、
−ＷＬＡＮ上のＣＣＡ機能がＷＬＡＮによるＷＬＡＮ上の送信を一時的に適切でないものと決定するほど十分に高い所与の出力電力レベルで、所定の時間期間中、第２のＷＰＡＮチャネル内に連続的にジャミング信号を送信するよう、軽減モードである間に所与の軽減ストラテジに基づきＷＮＮに命じるように、ＷＮＮＭのプロセッサを動作させること、
を含む。
【００１１】
[0011]  本出願のある実施形態は、１つ以上の処理ユニットに本出願の方法を実行させるための命令を記憶している非一時的コンピュータ可読媒体も含む。
【００１２】
[0012]  本出願のこれらの態様及び他の態様は、以下で説明する実施形態を参照しながら解明されれば明らかとなろう。
【００１３】
[0013]  提案されたソリューションの更なる詳細、態様、及び実施形態を、図面を参照しながら単なる例として説明する。図面では、同じ要素又は機能的に同様の要素を識別するために同じ参照番号が使用される。図面内の要素は簡単明快にするように示されており、必ずしも一定の縮尺ではない。
【図面の簡単な説明】
【００１４】
【図１】[0014]本出願に従ったワイヤレスネットワークノードを示す概略ブロック図である。
【図２】[0015]図１のワイヤレスネットワークノードを備える干渉軽減を提供するためのシステムを示す概略図である。
【図３】[0016]図２のシステムに従った共存するＺｉｇｂｅｅ（登録商標）チャネル及びＷｉ−Ｆｉ（登録商標）チャネルを示す概略図である。
【図４】[0017]本出願の実施形態に従った方法を示す概略フローチャートである。
【発明を実施するための形態】
【００１５】
[0018]  本出願の例示の実施形態は、ほとんどの部分が当業者にとって既知の機構、電子構成要素、及び回路からなるため、本出願の教示を不明瞭又は曖昧にしないように、本出願の基礎をなす概念を理解及び認識するために必要であるとみなされる範囲を超えて詳細には説明しない。
【００１６】
[0019]  ワイヤレスローカルエリアネットワーク（ＷＬＡＮ）から発生する検出された干渉を回避することが困難であるか又は不可能である場合、重要なメッセージをワイヤレスパーソナルエリアネットワーク（ＷＰＡＮ）のすべてのノードに送信できるようにするという、本出願が対処する前述の問題は、干渉を軽減することによって解決される。実際は、検出されるＷＬＡＮ干渉を回避する代わりに、ＷＬＡＮによって使用されるチャネル帯域幅内に含まれる１つ以上の所与の周波数上でのジャミングによって、干渉の影響を低下させることができる、新しいタイプのワイヤレスネットワークノードが提案される。実際には、ほとんどのＷＬＡＮは、ＷＬＡＮが送信するようにさせるためにクリアチャネル評価（ＣＣＡ）機能を用いる。例えばＣＣＡ機能を用いる場合、ＷＬＡＮトランシーバは送信媒体（すなわちチャネル）上で送信する前に、その媒体を感知する必要がある。したがって、媒体がビジーである（すなわち、ＷＬＡＮトランシーバが少なくとも別の送信をヒアリングしている）場合、ＷＬＡＮトランシーバはそのパケットを送信できず、媒体上で再度送信を試行する前に、媒体がアイドルになるまで待機しなければならない。感知プロセスは、直接測定などの様々な様式で、又は例えばチャネル上で予備のショートコントロールメッセージ（例えばＲｅａｄｙ  Ｔｏ  Ｓｅｎｄ／Ｃｌｅａｒ  Ｔｏ  Ｓｅｎｄメッセージなど）を交換することによって、実行可能である。したがって、提案したソリューションのアイデアの１つは、ＷＬＡＮによって使用されるチャネル上で送信することが一時的に適切でない（すなわち、ジャミングによる）ものと、ＷＬＡＮ上で使用されるＣＣＡ機能が決定するほど十分高い電力で、所定の時間期間中、ＷＬＡＮをジャミングすることである。このように、ＷＬＡＮが送信していない時間期間中、ＷＰＡＮのすべてのノードに重要なメッセージを送信することが可能である。例えばＺｉｇｂｅｅ（登録商標）  Ｌｉｇｈｔ  Ｌｉｎｋネットワークにおける照明コマンドを、自信をもって送信することができる。
【００１７】
[0020]  Ｗｉ−Ｆｉ（登録商標）ネットワークは搬送波感知多重アクセス／衝突回避（ＣＳＭＡ／ＣＡ）方式でＣＣＡ機能を使用することが知られている。したがって以下の説明では、ＷＬＡＮの例としてＷｉ−Ｆｉ（登録商標）ネットワークが使用される。しかしながら、限定されないがＩＥＥＥ  ８０２．１１ａ、ＩＥＥＥ  ８０２．１６、及びＥＴＳＩ  ＨｙｐｅｒＬＡＮなどの他のＷＬＡＮも、本出願によって企図される。ＷＰＡＮに関しては、Ｚｉｇｂｅｅ（登録商標）がその例とみなされる。それにもかかわらず、限定されないがＩＥＥＥ  ８０２．１５．４、Ｚｉｇｂｅｅ（登録商標）  Ｌｉｇｈｔ  Ｌｉｎｋ（ＺＬＬ）、ＲＦ４ＣＥ、及び６ＬｏＷＰＡＮなどの他のＷＰＡＮも、本出願によって企図される。実際に、Ｗｉ−Ｆｉ（登録商標）及びＺｉｇｂｅｅ（登録商標）はどちらもＩＳＭ（工業（ｉｎｄｕｓｔｒｉａｌ）用の、科学（ｓｃｉｅｎｔｉｆｉｃ）用の、及び医療（ｍｅｄｉｃａｌ）用の）周波数帯上で作動している。それにもかかわらず本出願では、他の周波数帯、特に、ＷＬＡＮがＣＣＡ機能を使用してＷＰＡＮが使用するチャネルの帯域幅よりも帯域幅が大きいチャネル上で動作する場合、及びＷＬＡＮがＷＰＡＮに干渉する場合の他の周波数帯も企図される。
【００１８】
[0021]  図１を参照すると、本出願に従ったワイヤレスネットワークノード（ＷＮＮ）１１０が図式的に示されている。図１に示されるように、ＷＮＮ１１０は、
−限定されないが揮発性メモリデバイス又は不揮発性デバイスなどのメモリ１１２と、
−限定されないがスペクトル密度推定器などの干渉検出器１１３と、
−限定されないがＺｉｇｂｅｅ（登録商標）ノードで通常使用されるものなどの受信器１１４及び少なくとも１つの送信器１１５と、
−限定されないが中央処理ユニット（ＣＰＵ）、マイクロプロセッサ、ビデオプロセッサ、フロントエンドプロセッサ、コプロセッサ、シングルコアプロセッサ、マルチコアプロセッサなどのプロセッサ１１１と、
を備える。
【００１９】
[0022]  図１の例において、メモリ１１２は、ＷＮＮ１１０に向けて送られるメッセージ又は命令コマンドなどのデータを記憶するように適合される。例えばＺｉｇｂｅｅ（登録商標）ネットワークにおいて、メッセージはＺｉｇｂｅｅ（登録商標）ルータ又は別のＷＮＮ１１０によって送られ、命令コマンドはＺｉｇｂｅｅ（登録商標）  Ｃｏｏｒｄｉｎａｔｏｒによって送信される。Ｚｉｇｂｅｅ（登録商標）  Ｌｉｇｈｔ  Ｌｉｎｋ（ＺＬＬ）ネットワークに適用する例において、命令コマンドは、ＺＬＬノードによって送信される調光コマンド及び／又はスイッチオン／オフコマンドである。干渉検出器１１３は、ＷＮＮ１１０が現在作動しているチャネル内で干渉信号を検出すると干渉インジケータを生成するように適合される。干渉信号を検出するために、干渉検出器１１３は、整合フィルタリング方法、エネルギー検出方法、及び周期定常性検出方法などの、スペクトル感知方法を実装する。受信器１１４は、所与のチャネル周波数で送信されているメッセージ又は命令コマンドなどのデータを受信するように適合される。送信器１１５は、所与のチャネル周波数を介して所与の信号を送信するように適合される。図１において、プロセッサ１１１は、メモリ１１２、干渉検出器１１３、受信器１１４、及び送信器１１５に動作可能に結合される。更に、本出願に従って、プロセッサ１１１は通常モードと軽減モードとのうちの少なくとも一方で動作するように適合される。通常モードでは、プロセッサ１１１は従来のＺｉｇｂｅｅ（登録商標）ノードとして動作する。したがって、プロセッサ１１１の動作が通常モードの間、従来のＺｉｇｂｅｅ（登録商標）ノードによって実行される動作に最低限必要な動作が、ＷＮＮ１１０によって実行可能である。例えば、限定されないがメッセージ及び／又は命令コマンドの受信及び送信などの動作が、プロセッサ１１１の通常モードの動作で実行される。ある例では、ＷＮＮ１１０の始動時に、プロセッサ１１１は自動的に通常モードで動作を開始する。別の例では、ＷＮＮ１１０のプロセッサ１１１は、所与のトリガ信号に応答して、通常モードの動作で動作する。例えばトリガ信号は、ＷＮＮ１１０上に配置されたボタンによって生成され、これは、ＷＮＮ１１０が既に始動している間に活性化されてもよい。通常モードでは、プロセッサ１１１は、干渉インジケータが所与の干渉閾値よりも大きいかどうかを判断するように構成される。この判断は、ＷＮＮ１１０の始動時に自動的に、及び／又は、ＷＮＮ１１０が既に始動している時に周期的に、実行される。干渉信号は、干渉検出器１１３によって検出されている。上記で既に説明したように、Ｚｉｇｂｅｅ（登録商標）ネットワーク上で知覚される干渉信号はＷｉ−Ｆｉ（登録商標）ネットワークから発生している。前述の生成される干渉インジケータは、Ｚｉｇｂｅｅ（登録商標）ネットワーク１００の少なくとも１つのＷＮＮ１１０によって知覚される干渉レベルのインジケータであることが理解されよう。干渉インジケータ及び所与の干渉閾値は、例えばｄＢｍなどの、検出される干渉信号の電力比として表される。例えば干渉インジケータは、受信信号強度指示測定（ＲＳＳＩ）である。別の例では、干渉���ンジケータ及び所与の干渉閾値は、ＷＬＡＮによって使用されるチャネル内で信号が送信されるわずかな時間として表される（すなわち、デューティファクタ）。干渉インジケータが所与の干渉閾値よりも大きい場合、プロセッサは軽減モードに入る。軽減モードでは、プロセッサ１１１は、ＷＬＡＮチャネル上で発生する送信を妨害することが可能な軽減信号（すなわち、ジャミング信号）を生成するように構成される。軽減信号は、ＷＮＮ１１０によって使用されるハードウェアによって生成可能な任意の種類の信号である。例えばＺｉｇｂｅｅ（登録商標）では、軽減信号は規格によってサポートされている最長のデータパケットを含む。しかしながら、実際にはジャミング信号である、どのような軽減信号が使用されてもよく、パケットのコンテンツは重要でなく、いずれの性質でも可能である。例えば軽減信号によってピギーバックされるデータパケットは、１に設定されたすべてのデータビットを含む。その後、少なくとも干渉インジケータに基づき、プロセッサは、ＷＮＮ１１０によって使用される現行チャネルとは異なる、軽減信号が送信されることになる、Ｚｉｇｂｅｅ（登録商標）チャネルを決定するようにも適合される。例えば干渉インジケータが決定されると、ＷＮＮ１１０は、他のＺｉｇｂｅｅ（登録商標）チャネルがＷｉ−Ｆｉ（登録商標）干渉体によって干渉されているかどうかを判断するために、Ｚｉｇｂｅｅ（登録商標）ネットワーク又はＺｉｇｂｅｅ（登録商標）ネットワークの一部をスキャンすることもできる。スキャンの終わりに、スキャンされたチャネルのうちの少なくとも１つが、決定されたＺｉｇｂｅｅ（登録商標）チャネルとして選択される。ある実施形態において、Ｚｉｇｂｅｅ（登録商標）ネットワーク又はＺｉｇｂｅｅ（登録商標）ネットワークの一部のスキャンは、別のＷＮＮ１１０又は特定の装置によって実行される。例えばＺｉｇｂｅｅ（登録商標）ネットワークの現行の作動チャネルがチャネル１２に設定される場合、決定されたＺｉｇｂｅｅ（登録商標）チャネルは作動チャネル１２とは異なる必要がある。例えば決定されたＺｉｇｂｅｅ（登録商標）チャネルはチャネル１３又は１４であってよい。しかしながら決定されたＺｉｇｂｅｅ（登録商標）チャネルは、Ｗｉ−Ｆｉ（登録商標）ネットワークによって使用されるチャネル帯域幅に少なくとも部分的に含まれるように選択される。こうした例が図３の構成３００で与えられている。実際、図３の構成３００では、Ｚｉｇｂｅｅ（登録商標）ネットワークの作動周波数は、横線で塗りつぶされた矩形として表されたチャネル１２である。更に、図３の構成３００では、Ｗｉ−Ｆｉ（登録商標）の作動チャネルは参照番号２０が付けられた台形で表される。この構成では、決定されたＺｉｇｂｅｅ（登録商標）チャネルは、チャネル１０、１１、１３、１４、及び１５のうちの少なくとも１つである。これに対して、チャネル９及び１６は決定されたＺｉｇｂｅｅ（登録商標）チャネルとして選択されない。実際、図３の構成３００に示されるように、Ｗｉ−Ｆｉ（登録商標）チャネル帯域幅は４つのＺｉｇｂｅｅ（登録商標）チャネル（すなわち、チャネル１１、１２、１３、及び１４）を完全にカバー���、チャネル１０及び１５を部分的にカバーしている。更にプロセッサ１１１は、決定されたＺｉｇｂｅｅ（登録商標）チャネル内に軽減信号を連続的に送信するよう、送信器１１５に命じるように適合される。しかしながらＺｉｇｂｅｅ（登録商標）ネットワークの場合、連続送信を可能にするために、いくつかの調整を実行する必要がある。実際にＺｉｇｂｅｅ（登録商標）ネットワークは、事前にＣＣＡ機能を使用することなく連続送信が実行されるように、ディセーブルされるか又は対応するパラメータの最小値まで低減される必要のある、ＣＣＡ機能を備える。例えばＺｉｇｂｅｅ（登録商標）ネットワークのいくつかの実装は、チャネルの周期的なエネルギー検出スキャンを必要とする。実際、Ｚｉｇｂｅｅ（登録商標）ネットワークがＷｉ−Ｆｉ（登録商標）ネットワークによって干渉される場合、Ｚｉｇｂｅｅ（登録商標）ネットワークのＣＣＡ機能が、活性化されている間、Ｗｉ−Ｆｉ（登録商標）ネットワークによって生成される干渉によって送信しないものと決定することは明白である。実際には、Ｗｉ−Ｆｉ（登録商標）ネットワークで使用される送信電力は、Ｚｉｇｂｅｅ（登録商標）ネットワークで使用される送信電力に比べてかなり高い。実際、Ｗｉ−Ｆｉノードの出力電力が通常１５ｄＢｍ又はそれ以上に近い一方で、Ｚｉｇｂｅｅ（登録商標）ノードの出力電力は通常０ｄＢｍに近い。したがって、提案されたＷＮＮ１１０のＣＣＡ機能を非活動化又は制限することによって、軽減信号を送信する前に送信することが適切であるかどうかは判断されないことになる。例えばＣＣＡ機能は、Ｗｉ−Ｆｉ（登録商標）ネットワークから発生する干渉とは異なるタイプの干渉の検出（例えば、近隣のＺｉｇｂｅｅ（登録商標）ネットワークの検出）に制限することができる。これに対して、提案するソリューションでは、この動作はバイパスされる。もちろん、使用されるＷＰＡＮに応じて、ワイヤレス通信の当業者が可能な範囲の特定の調整を実行する必要がある。こうした機構が、軽減信号を連続的に送信させることになる。Ｗｉ−Ｆｉ（登録商標）ネットワークのＣＣＡ機能によってジャミングが著しいと思わせるために、軽減信号を十分高い電力レベルで送信する必要がある。例えばプロセッサ１１１は、決定されたＺｉｇｂｅｅ（登録商標）チャネル上に、使用されるハードウェアによって許容される最大電力（例えば、２０ｄＢｍ）で軽減信号を送信するよう、送信器１１５に命じる。世界のある地域では、こうした高電力は法的制約によって使用できない。その場合プロセッサ１１１は、地域の法律及び規則に従って最大の電力レベルで軽減信号を送信するよう、送信器に命じる。更に、所定の時間期間中、軽減信号を送信するだけでよい場合がある。実際に、Ｗｉ−Ｆｉ（登録商標）のＣＣＡ機能は、当該のチャネルがビジーである場合に、データの送信／受信までの待機期間であるバックオフ期間を決定する、バックオフアルゴリズムに関連付けられる。研究機関の実験では、本出願で説明するようにＷｉ−Ｆｉ（登録商標）がジャミングされた場合、バックオフ期間は約４ミリ秒続くことがわかっている。これは、Ｗｉ−Ｆｉ（登録商標）ネットワークがジャミングされた後４ミリ���間、Ｗｉ−Ｆｉ（登録商標）パケットは送信されないことを意味する。既に上記で述べたように、本出願の目的の１つは、このバックオフ期間を利用して重要なＺｉｇｂｅｅ（登録商標）メッセージを送受信することである。Ｚｉｇｂｅｅ（登録商標）及びＷｉ−Ｆｉ（登録商標）の例では、Ｚｉｇｂｅｅ（登録商標）の送信時間が約２ミリ秒であることから、４ミリ秒のバックオフ期間は十分に長いものである。
【００２０】
[0023]  要約すると、提案されたＷＮＮ１１０は、所定の時間期間中、十分に高い電力で送信される軽減信号によってＷＬＡＮ干渉体をジャミングすることができる。ジャミングは、ＷＬＡＮチャネル帯域幅によってカバーされており、ＷＮＮ１１０によって使用される現行チャネルとは異なる、少なくとも１つのチャネル上で発生している。これは、ＷＮＮ１１０がその動作周波数を、現行周波数からＷＬＡＮ干渉体をジャミングするために使用される決定されたＺｉｇｂｅｅ（登録商標）チャネルへと変更できることを明らかに意味する。このように、ジャミングが異なるＺｉｇｂｅｅ（登録商標）チャネル上で発生するため、ＷＰＡＮネットワークの現行の作動チャネルはＷＮＮ１１０のジャミングによってそれ以上干渉されない。結果として所与の時間期間中、ＷＬＡＮ干渉体はその送信を保留し、ＷＰＡＮのノードは、送信の必要があるすべての重要な情報を送信することができる。確かにするため、動作全体が必要な回数だけ反復される。最適なやり方では、プロセス全体が反復される回数に注意が向けられる。実際には、ＷＬＡＮでバックオフが許容される最大数に達した後、保留されているパケットは通常はドロップされる。したがって、パケットのドロップによってＷＬＡＮの全体のスループットを低下させたくない場合は、例えばＷｉ−Ｆｉ（登録商標）ネットワークで使用されるｍａｃＭａｘＣＳＭＡＢａｃｋｏｆｆｓなどのパラメータを考慮してみるのも興味深い。追加として、ジャミングが実行されている所定の時間期間の持続時間は、プロセス全体が反復されるごとにプロセッサ１１１によって延長又は短縮される。例えばバッテリ給電型のＷＮＮ１１０の場合、最大電力での反復的な送信はバッテリを非常に早く消耗させることになるため、最適なストラテジではない可能性がある。しかしながら、例えば最初に最大送信電力で開始した後、プロセス全体を開始するごとに所与の値だけ送信電力を低下させていくことは、電力消費を制御するためのより良いアイデアであり得る。
【００２１】
[0024]  本出願の実施形態において、プロセッサ１１１は、通常モードと軽減モードとで同時に動作するように構成されてもよい。基本的にこの実施形態において、ＷＮＮ１１０のプロセッサは、両方のモードで同じ時間期間中作動するように適合される。したがってＷＮＮ１１０は、軽減モードに入っている間、通常モードも維持する。これは、ＷＮＮ１１０が軽減モードで動作している場合に有利な構成であるが、それと同時に通常モードでもメッセージ及び／又は命令コマンドを受信することができる。この構成は、ソフトウェア及びハードウェアの開発を非常に容易にする。すなわち、軽減モードであることはＺｉｇｂｅｅ（登録商標）ネットワークから切断されていることを意味しない。この場合ＷＮＮ１１０は、上記で既に説明したように、Ｚｉｇｂｅｅ（登録商標）ネットワークの現行の作動周波数で送信されるデータを受信すること、及び決定されたＺｉｇｂｅｅ（登録商標）チャネルで送信することができるはずである。本出願の別の実施形態において、プロセッサ１１１は、通常モードと軽減モードとで二者択一的に動作するように適合される。したがってＷＮＮ１１０は、軽減モードに入っている間、通常モードを離れる。これは、ＷＮＮ１１０が一度に１つのモードのみで動作するため、消費電力を削減するためには有利な構成である。上記で既に説明したように、この実施形態において、ＷＮＮ１１０のプロセッサ１１１は、干渉インジケータが所与の干渉閾値よりも高くなると、通常モードから軽減モードに切り替わる。しかしながらある例では、ＷＮＮ１１０のプロセッサ１１１は、所定の時間期間が経過した後、軽減モードから通常モードに切り替わる。これは、ＷＮＮ１１０が単に一時的に軽減モードを維持し、軽減モード動作が終了すると通常モードに戻ることを意味する。
【００２２】
[0025]  次に図２を参照すると、図１の例示のＷＮＮ１１０を備える干渉軽減を提供するためのシステムが図式的に示されている。図２では、ＩＳＭ周波数帯上に共存しているＺｉｇｂｅｅ（登録商標）ネットワーク１００とＷｉ−Ｆｉ（登録商標）ネットワーク２００とが示されている。図２において、図示されているＺｉｇｂｅｅ（登録商標）ネットワーク１００は、２ＭＨｚチャネル上で動作する１つ以上のＷＮＮ１１０を備え、Ｗｉ−Ｆｉ（登録商標）ネットワーク２００は、２２ＭＨｚチャネル上で動作する３つのＷｉ−Ｆｉ（登録商標）基地局（ＷＢＳ）２１０、２２０、２３０を備える。すべてのＷＮＮ１１０と、Ｚｉｇｂｅｅ（登録商標）ネットワーク１００の他のＺｉｇｂｅｅ（登録商標）ノードとは、同じパーソナルエリアネットワーク識別（すなわち、ＰＡＮ  ＩＤ）を使用していることが理解されよう。
【００２３】
[0026]  図２の例において、すべてのＷＮＮ１１０はワイヤレス接続リンクによって共に相互接続される。実際、ワイヤレス通信の当業者によく知られているように、Ｚｉｇｂｅｅ（登録商標）ネットワーク１００は、ネットワークのノード間でのこうした接続リンクを可能にするメッシュネットワーキング技術を使用する。図２に示されるように、いくつかのワイヤレス接続リンク１１０１、１１０２、１１０３、１１０４、及び１１０５のみが表されている。図２において、接続リンク１１０１はＷＢＳ２１０によって干渉され、接続リンク１１０２と１１０３とはＷＢＳ２２０によって干渉され、接続リンク１１０４と１１０５とはＷＢＳ２３０によって干渉される。図２のシステムにおいて、ＷＮＮ１１０のうちの１つはワイヤレスネットワークノードマネージャＷＮＮＭ１２０として識別される。実際のところＺｉｇｂｅｅ（登録商標）ネットワークでは、ＷＮＮＭ１２０は、Ｚｉｇｂｅｅ（登録商標）  Ｃｏｏｒｄｉｎａｔｏｒ又はネットワークの任意の他のＺｉｇｂｅｅ（登録商標）ノードであってよい。図２の軽減システムは、ＷＮＮＭ１２０を選択せずに実行するように適合されることに留意されたい。実際、図１に関して上記で既に説明したように、各ＷＮＮ１１０は干渉下にある間、それ自体のＷｉ−Ｆｉ（登録商標）ネットワーク上で軽減することができる。しかしながらＷＮＮＭ１２０が図２のシステム内で選択される場合、更なる利点が企図される。第１に、すべての干渉インジケータが更なる分析のためにＷＮＮＭ１２０へと送信される。そのため、図２のシステムにおいてＷＮＮ１１０は、干渉インジケータが所与の干渉閾値よりも大きい場合をＷＮＮＭ１２０に通知するように構成される。また、少なくとも干渉インジケータに基づき、ＷＮＮＭ１２０のプロセッサ１１１は、Ｚｉｇｂｅｅ（登録商標）ネットワーク１００によって使用される現行チャネルとは異なる少なくとも１つのＺｉｇｂｅｅ（登録商標）チャネルを決定するように構成される。決定されたＺｉｇｂｅｅ（登録商標）チャネルは、少なくとも部分的にＷｉ−Ｆｉ（登録商標）チャネル帯域幅に含まれる。図３は、図２のシステムに従った異なるチャネル割り振り方式を示す。図３の例において、すべての表された割り振り方式３００、３０１、３０２、３０３、３０４、３０５、及び３０６では、参照番号２０によって識別されたＷｉ−Ｆｉ（登録商標）ネットワーク２００の作動チャネルと、参照番号９、１０、１１、１２、１３、１４、１５、及び１６によって識別された８つのＺｉｇｂｅｅ（登録商標）チャネルとが示されている。図３において、Ｚｉｇｂｅｅ（登録商標）ネットワーク１００の作動周波数は、横線で塗りつぶされた参照番号１２を有する矩形によって識別される。追加として、軽減モードでのジャミング動作用に割り振られたＺｉｇｂｅｅ（登録商標）チャネルは、縦線で塗りつぶされた矩形によって識別される。例えば、割り振り方式３００では本出願に従ったＺｉｇｂｅｅ（登録商標）チャネルは割り振られていないが、割り振り方式３０１ではチャネル１１のみが割り振られている。これは、割り振り方式３００ではすべてのＷＮＮ１１０及びＷＮＮＭ１２０がチャネル１２上で動作している��とを意味する。次に割り振り方式３０１では、少なくとも１つのＷＮＮ１１０がチャネル１１で、上記で既に説明したように軽減モードで動作している。割り振り方式３０２では、少なくとも１つのＷＮＮ１１０がチャネル１３で、上記で既に説明したように軽減モードで動作している。割り振り方式３０３、３０４、及び３０５では、軽減モードで動作しているＷＮＮ１１０に２つのチャネルが割り振られる。図からわかるように、割り振られたＺｉｇｂｅｅ（登録商標）チャネルはＺｉｇｂｅｅ（登録商標）ネットワーク１００によって使用される現行チャネル１２に隣接している。しかしながらこれは単なる例であり、割り振られたＺｉｇｂｅｅ（登録商標）チャネルが現行のＺｉｇｂｅｅ（登録商標）チャネルに隣接していない他の構成も同様に企図される。最後に割り振り方式３０６では、軽減モードで動作しているＷＮＮ１１０に５つのチャネルが割り振られる。図からわかるように、Ｗｉ−Ｆｉ（登録商標）干渉を軽減するために複数のチャネルが共同で使用される。すべてのＷＮＮ１１０がそれらの干渉インジケータをＷＮＮＭ１２０に報告するため、ＷＮＮＭのプロセッサ１１１は少なくともこれらの情報を使用して、Ｗｉ−Ｆｉ（登録商標）干渉軽減のために１つ以上のチャネルを割り振る必要があるかどうかを判断することができる。実際、所与の軽減ストラテジに基づき、軽減モードである間に、ＷＮＮＭ１２０のプロセッサ１１１は、上記で既に説明したように所定の時間期間中、割り振られたＺｉｇｂｅｅ（登録商標）チャネル９、１０、１１、１３、１４、１５、及び１６で軽減信号を連続的に送信するよう、ＷＰＡＮのＷＮＮ１１０に命じるように適合される。
【００２４】
[0027]  図２に従ったシステムの一実施形態において、軽減ストラテジは、同じ割り振られたＺｉｇｂｅｅ（登録商標）チャネル上で同時に送信するように命じられたＷＮＮ１１０を１つ以上有することにある。例えば図３の割り振り方式３０３では、ある複数のＷＮＮ１１０はＺｉｇｂｅｅ（登録商標）チャネル１１上のＷｉ−Ｆｉ（登録商標）ネットワークを軽減するが、別の複数のＷＮＮ１１０はＺｉｇｂｅｅ（登録商標）チャネル１３上のＷｉ−Ｆｉ（登録商標）ネットワーク２００を軽減する。このストラテジは、Ｗｉ−Ｆｉ（登録商標）ネットワーク２００のより良好な軽減のためにいくつかのＷＮＮ１１０の送信電力が共に組み合わされるという利点を有する。このストラテジは、いくつかのＷＮＮ１１０がＷｉ−Ｆｉ（登録商標）干渉下にある場合に適切である。図２に従ったシステムの別の実施形態において、軽減ストラテジは、割り振られたＺｉｇｂｅｅ（登録商標）チャネル上で送信するように命じられたＷＮＮを１つだけ有することにある。このストラテジは、わずかなＷＮＮ１１０がＷｉ−Ｆｉ（登録商標）干渉下にある場合に適切である。
【００２５】
[0028]  図２に従ったシステムの別の実施形態において、ＷＮＮ１１０のプロセッサ１１１は通常モードと軽減モードとで二者択一的に動作し、第１のＷＮＮのプロセッサ１１１が軽減モードに切り替わる前に、第１のＷＮＮのプロセッサ１１１は、第１のＷＮＮ１１０に向けて送られるデータを受信するよう、第２のＷＮＮ１１０の少なくとも１つのプロセッサ１１１に命じるように構成される。実際に、本出願では、ＷＮＮ１１０のプロセッサ１１１が通常モードと軽減モードとで二者択一的に動作する場合、代行機構も提案される。実際にこの場合、上記で既に説明したように、ＷＮＮ１１０は一度に通常モードと軽減モードとのうちの１つのみで動作する。したがって、軽減モードで動作している間、ＷＮＮ１１０はＺｉｇｂｅｅ（登録商標）ネットワーク１００の残りの部分とは通信しない。これは、他のＷＮＮ１１０、ＷＮＮＭ１２０、又はＺｉｇｂｅｅ（登録商標）  Ｃｏｏｒｄｉｎａｔｏｒによって送信されるメッセージ／命令コマンドは、軽減モードにあるＷＮＮ１１０によって受信されないことを意味する。したがって、例えば軽減モードで動作しているＷＮＮ１１０に向けて送られたメッセージ／命令コマンドは、別のＷＮＮ１１０の受信器によって受信される、代行機構が提案される。その後、第１のＷＮＮ１１０が軽減モードにある所定の時間期間中、代行ＷＮＮ１１０のプロセッサ１１１は、元々は軽減ＷＮＮ１１０に向けて送られた受信したデータを、メモリ１１２に記憶するように適合される。最後に、第１のＷＮＮ１１０が再度通常モードに切り替えた場合、代行ＷＮＮは記憶したコマンドを第１のＷＮＮ１１０に送信するように適合される。この実施形態において、代行機構は、その受信機能を別のＷＮＮ１１０に代行させることが可能なＷＮＮ１１０によって、直接処理されることが明らかである。
【００２６】
[0029]  図２に従ったシステムの更に別の実施形態において、ＷＮＮ１１０のプロセッサ１１１は通常モードと軽減モードとで二者択一的に動作し、第１のＷＮＮのプロセッサ１１１が軽減モードに切り替わる前に、第１のＷＮＮ１１０のプロセッサ１１１は、第１のＷＮＮ１１０に向けて送られるデータを受信するよう、第２のＷＮＮ１１０の少なくとも１つのプロセッサ１１１に命じることを、ＷＮＮＭ１２０に要求するように構成される。その後、第１のＷＮＮ１１０が軽減モードにある所定の時間期間中、第２のＷＮＮ１１０のプロセッサ１１１は、元々は第１のＷＮＮ１１０に向けて送られた受信したデータを、メモリ１１２に記憶するように適合される。最後に、第１のＷＮＮ１１０が再度通常モードに切り替えた場合、代行ＷＮＮは記憶したコマンドを第１のＷＮＮ１１０に送信するように適合される。この実施形態において、代行機構は、軽減モードに切り替わる必要のあるＷＮＮ１１０に代わって、ＷＮＮＭ１２０によって処理されることが明らかである。
【００２７】
[0030]  実施形態において、ＷＮＮＭ１２０は所定の時間期間を延長又は短縮するように構成される。上記で既に説明したように、通常モードから軽減モードへ切り替わる動作、及びその逆に切り替わる動作の全体を、必要な回数だけ反復することができる。これは、ジャミングが実行される所定の時間期間の持続時間が、プロセス全体が反復されることに、プロセッサ１１１によって延長又は短縮されるためである。例えばバッテリ給電型のＷＮＮ１１０の場合、最大電力で反復的に送信することは素晴らしいストラテジではない可能性がある。しかしながら、例えば最初に最大送信電力で開始した後、プロセス全体を開始するごとに送信電力を低下させていくことは、電力消費を制御するためのより良いアイデアであり得る。
【００２８】
[0031]  次に図４を参照すると、図２のシステムに従った方法のフロー図が図式的に示されている。
【００２９】
[0032]  Ｓ４００で、上記で既に説明したように、１つ以上のＷＮＮ１１０が提供される。
【００３０】
[0033]  Ｓ４１０で、上記で既に説明したように、ＷＮＮ１１０の中から１つのＷＮＮＭ１２０が決定される。
【００３１】
[0034]  Ｓ４２０で、上記で既に説明したように、ＷＮＮ１１０は干渉下にある間をＷＮＮＭ１２０に通知するように動作される。
【００３２】
[0035]  Ｓ４３０で、上記で既に説明したように、ＷＮＮＭ１２０はＷＰＡＮによって使用される現行のチャネルに隣接するチャネル上に軽減信号を連続的に送信するよう、干渉下のＷＮＮ１１０に命じている。
【００３３】
[0036]  その後Ｓ４４０で、ＷＰＡＮによって使用される現行チャネル上に依然として強い干渉が存在するかどうかが判断される。存在する場合、軽減機構は再度Ｓ４２０で開始される。存在しない場合、方法は停止する。
【００３４】
[0037]  当業者であれば、提案されたソリューションが、ＷＬＡＮネットワークによって使用されるＣＣＡ機能を利用することが理解されよう。したがって、所定の時間期間中、干渉しているＷＬＡＮチャネルをジャミングすることによって、干渉しているＷＬＡＮネットワークは、バックオフ時間期間中、ＷＬＡＮ干渉チャネル上での送信が強制的に保留される。本出願のソリューションはこのバックオフ期間を使用して、限定されないが現行の作動周波数を変更する要求などの重要な情報を、ＷＰＡＮネットワークが送信できるようにする。提案されたソリューションの他の１つの利点は、使用されるパケットのフォーマットが標準フォーマットであることである。実際に、他の軽減ソリューションとは対照的に、ＷＰＡＮパケットのフォーマットをＷＬＡＮ干渉体によって検出可能であるような特定のやり方で変更する必要がない。実際、あるソリューションでは、Ｚｉｇｂｅｅ（登録商標）パケットのプリアンブルは変更される（例えば増加される）ため、Ｗｉ−Ｆｉ（登録商標）にはＺｉｇｂｅｅ（登録商標）ネットワークが送信されようとしていることがわかる。提案されたソリューションの別の利点は、本出願のワイヤレスノードがＷＬＡＮネットワークとのいずれの共同も必要がないという事実にある。実際、いくつかの従来技術ソリューションでは、ＷＰＡＮモジュールとＷＬＡＮモジュールとの両方を同じ装置に含める必要がある。その種のソリューションは、実際の低コストの実装にとって容易でも柔軟でもない。これに対して、提案されたワイヤレスノードは単にＷＰＡＮワイヤレスノードである。
【００３５】
[0038]  もちろん、上記の利点は例示的であり、これらの利点又は他の利点は提案されたソリューションによって達成できる。更に当業者であれば、本明細書で説明する実施形態によって、必ずしも前述のすべての利点が達成されるものでないことが理解されよう。
【００３６】
[0039]  同じ機能を達成するためのデバイスのいずれの配置構成も、所望の機能が達成されるように効果的に「関連付けられる」。したがって、本明細書で特定の機能を達成するために組み合わされる任意の２つのデバイスは、アーキテクチャ又は仲介デバイスに関係なく所望の機能が達成されるように互いに「関連付けられる」と見られる。同様に、そのように関連付けられたいずれの２つのデバイスも、所望の機能を達成するために互いに「動作可能に接続」又は「動作可能に結合」されているものとみなすこともできる。
【００３７】
[0040]  更に当業者であれば、上記で説明した動作間の境界は単なる例示であることが諒解されよう。複数の動作は単一の動作に組み合わせられ、単一の動作は追加の動作に分散され、動作は時間的に少なくとも部分的に重複して実行される。更に、代替の実施形態は、特定の動作の複数の例を含み、動作の順序は様々な他の実施形態で変更される。
【００３８】
[0041]  しかしながら、他の修正、変形、及び代替も可能である。したがって明細書及び図面は、制約的な意味ではなく例示的な意味であるものとみなされる。例えば受信器及び送信器は、図面に表されているように２つの別々のモジュールではなく、単一のユニットに組み合わせられる。もちろん、適切であれば、物理モジュールの他の組み合わせは共に組み合わせられる。
【００３９】
[0042]  特許請求の範囲において、括弧間に配置されたいずれの参照符号も特許請求の範囲を制限するとは解釈されないものとする。「備える」という用語は、特許請求の範囲に列挙された要素又は動作とは異なる他の要素又は動作の存在を排除しない。更に本明細書で使用される「ａ」又は「ａｎ」という用語は、１つ又は複数として定義される。更に特許請求の範囲での「少なくとも１つ」及び「１つ以上」などの導入句の使用は、たとえ同じ請求が導入句「１つ以上」又は「少なくとも１つ」と、「ａ」又は「ａｎ」などの不定冠詞とを含む場合であっても、不定冠詞「ａ」又は「ａｎ」による別の請求要素の導入が、こうした導入された請求要素を含むいずれの特定の請求をも、こうした要素を１つだけ含む発明に限定することを示唆するものと解釈されるべきではない。特に記載されていない限り、「第１」及び「第２」などの用語は、こうした用語が記述する要素を任意に区別するために使用される。したがってこれらの用語は、必ずしもこうした要素の一時的な優先順位付け又は他の優先順位付けを示すものとは意図されない。ある手段が相互に異なる請求内に記載されているという事実だけでは、これらの手段の組み合わせを有利に使用できないことを示していない。本出願の範囲は、以下の特許請求の範囲及びその等価物に定義されている。更に説明及び特許請求の範囲で使用される参照符号は、請求される本出願の範囲を制限しない。
【００４０】
[0043]  本発明の様々な実施形態の原理は、ハードウェア、ファームウェア、ソフトウェア、又はそれらの任意の組み合わせとして実装可能である。更にソフトウェアは、好ましくは、デジタル回路、アナログ回路、磁気媒体、又はそれらの組み合わせの形が可能な、プログラムストレージユニット、持続性コンピュータ可読媒体、又は持続性機械可読ストレージ媒体上に、有形に具体化されたアプリケーションプログラムとして実装される。アプリケーションプログラムは、任意の好適なアーキテクチャを備える機械にアップロードされ、機械によって実行される。好ましくは、機械は、１つ以上の中央処理ユニット（「ＣＰＵ」）、メモリ、及び入出力インターフェースなどのハードウェアを有する、コンピュータプラットフォーム上で実装される。コンピュータプラットフォームは、オペレーティングシステム及びマイクロ命令コードも含む。本明細書で説明する様々なプロセス及び機能は、マイクロ命令コードの一部、アプリケーションプログラムの一部、又はそれらの任意の組み合わせのいずれかであり、こうしたコンピュータ又はプロセッサが明示的に示されているか否かに関わらず、ＣＰＵによって実行される。加えて、様々な他の周辺ユニットが、追加のデータストレージユニット及び印刷ユニットなどのコンピュータプラットフォームに接続される。
【００４１】
[0044]  前述の詳細な説明は、本発明が取り得る多くの形のうちのいくつかを記載している。前述の詳細な説明は、本発明が取り得る選択された形の例示として、及び本発明の定義に限定されないものとして、理解されることが意図される。すべての等価物を含む特許請求の範囲のみが、本発明の範囲を定義するものと意図される。
【図１】
2017520979.tif 000003
【図２】
2017520979.tif 000004
【図３】
2017520979.tif 000005
【図４】
2017520979.tif 000006
【国際調査報告】
2017520979.tif 000007
2017520979.tif 000008